(57)【要約】      （修正有）【課題】安価な市販のダンプトラック等を改造することによって容易に製作でき、特定のエリア内でコンクリートを運搬する用途に好適なダンプトラックを提供する。【解決手段】車両本体１２と、上方開口からコンクリートが投入される荷台１４とを備える。荷台の左右の側面１６，２２は、左右の側あおりと、側あおりの高さを延長する延長板とで一体に形成される。左右の側面の後方上端部に、荷台の後端部を閉鎖する閉鎖板２８が開閉可能に軸着されている。左右の側面の各上端部に、板状の荷台覆い部材３４，３６を回動可能に備える。各荷台覆い部材の軸着端から先端までの長さは、荷台の幅寸法の１／２以上である。【選択図】図３
0003212040.tif 000002
【実用新案登録請求の範囲】
【請求項１】
車両本体と、上方開口からコンクリートが投入される荷台とを備えたダンプトラックにおいて、
前記荷台の左右の側面は、左右の側あおりと、前記側あおりの高さを延長する延長板とで一体に形成され、前記左右の側面の後方上端部に、前記荷台の後端部を閉鎖する閉鎖板が開閉可能に軸着されていることを特徴とするダンプトラック。
【請求項２】
前記左右の側面の各上端部に、板状の荷台覆い部材が回動可能に軸着され、
前記各荷台覆い部材の軸着端から先端までの長さが、前記荷台の幅寸法の１／２以上に設定されている請求項１記載のダンプトラック。
【考案の詳細な説明】
【技術分野】
【０００１】
本考案は、コンクリートの運搬に用いられるダンプトラックに関する。
【背景技術】
【０００２】
従来、特許文献１に開示されているように、車両本体と土砂が投入される荷台とを備えたダンプトラックがあった。荷台の左右の側面は、一対の側あおりにより形成され、各側あおりの上縁に、所定サイズの土砂覆いが回動可能に軸着されている。土砂覆いは、走行中に土砂が落下したり飛散したりするのを防止するための部材である。
【先行技術文献】
【特許文献】
【０００３】
【特許文献１】特開昭６４−６３４３１号公報
【考案の概要】
【考案が解決しようとする課題】
【０００４】
ダムの工事現場等の特定のエリア内で使用されるコンクリート運搬用のダンプトラックは、公道を走行できる一般的なダンプトラックとは異なり、できるだけ荷台の容積が大きいことが求められる。また、コンクリートは敷地内のバッチャープラントで製造されるが、雨水が掛かるとコンクリートの性質が変化してしまうので、バッチャープラントから打設場所まで移送するまでの間、荷台のコンクリートに雨水が掛からないことが求められる。
【０００５】
特許文献１のダンプトラックは、公道を走行できる形態であり、荷台の深さ（側あおりの高さ）が一定以下に規制される。例えば、特許文献１の図３のダンプトラックの場合、側あおりの高さは、床面の幅の約１／４になっている。したがって、一度に運搬できる土砂等の量がかなり制限される。また、各土砂覆いの軸着端から先端部までの長さは、未使用時に邪魔にならないように短く設定される。例えば、特許文献１の図３では、各土砂覆いの長さが側あおりの高さと同じくらいで、床面の幅の約１／４になっている。したがって、土砂覆いを荷台の上方に倒しても、荷台の土砂全体を覆うことができず、雨水が土砂に掛かってしまう。
【０００６】
したがって、特許文献１のダンプトラックは、特定のエリア内でコンクリート運搬する用途には適していない。一方、この種の用途に適した専用のダンプトラックを新規に製作すると、コストの負担が非常に大きいという問題がある。
【０００７】
本考案は、上記背景技術に鑑みて成されたものであり、特定のエリア内でコンクリートを運搬する用途に好適で、安価な市販のダンプトラック等を改造することによって容易に製作できるダンプトラックを提供することを目的とする。
【課題を解決するための手段】
【０００８】
本考案は、車両本体と、上方開口からコンクリートが投入される荷台とを備えたダンプトラックであって、前記荷台の左右の側面は、左右の側あおりと、前記側あおりの高さを延長する延長板とで一体に形成され、前記左右の側面の後方上端部に、前記荷台の後端部を閉鎖する閉鎖板が開閉可能に軸着されたダンプトラックである。
【０００９】
さらに、前記左右の側面の各上端部に、板状の荷台覆い部材が回動可能に軸着され、前記各荷台覆い部材の軸着端から先端までの長さが、前記荷台の幅寸法の１／２以上に設定されている構成にすることが好ましい。
【考案の効果】
【００１０】
本考案のダンプトラックは、特定のエリア内でコンクリートを運搬する用途に好適で、市販されている一般的なダンプトラックを改造して安価に製作することができる。特に、荷台を囲む壁面の高さが一般的なダンプトラックよりも高く、荷台の容積が非常に大きいので、一度に大量のコンクリートを運搬できるという特徴がある。
【００１１】
また、荷台の左右の側面の高さが高いので、左右の側面の上端部に荷台覆い部材を設けるとき、各荷台覆い部材の軸着端から先端までの長さを通常よりも長くすることができる。そして、この長さを荷台の幅寸法の１／２以上にすることによって、荷台のコンクリート全体を覆うことができ、コンクリートに雨水が掛かるのを容易に防止することができる。
【図面の簡単な説明】
【００１２】
【図１】本考案のダンプトラックの第一の実施形態を示す図であって、ダンプトラックを上方から見た図（ａ）、左側方から見た図（ｂ）、後方から見た図（ｃ）である。
【図２】第一実施形態のダンプトラックの荷台にコンクリートを積載する様子を示す図（ａ）、コンクリートを運搬したて荷降ろしする様子を示す図（ｂ）である。
【図３】本考案のダンプトラックの第二の実施形態を示す図であって、ダンプトラックを左側方から見た図（ａ）、後方から見た図（ｂ）、コンクリートを荷台覆い部材で覆った時の様子を示す図（ｃ）である。
【考案を実施するための形態】
【００１３】
以下、本考案のダンプトラックの第一の実施形態について、図１、図２に基づいて説明する。この実施形態のダンプトラック１０は、ダムの工事現場等の特定のエリア内で使用されるコンクリート運搬用のダンプトラックで、公道を走行可能な市販のダンプトラック（以下、一般ダンプトラックと称する。）を改造して製作されたものである。
【００１４】
ダンプトラック１０は、図１に示すように、前方部分に運転席が設けられた車両本体１２を備えている。車両本体１２の後方部分の上面には、上方が開口した荷台１４が配置され、回転軸１４ａを介して取り付けられている。また、車両本体１２には、荷降ろしの時に荷台１４を傾動させるためのアクチュエータ（図示しない）が取り付けられている。
【００１５】
車両本体１２、回転軸１４ａ及びアクチュエータは、一般ダンプトラックの構成がそのまま使用されている。
【００１６】
荷台１４の左側の側面１６は、一般ダンプトラックの側あおり１８と、側あおり１８の高さを延長する延長板２０とで形成されている。延長板２０は新規に用意した略長方形の部材で、側あおり１８の上端縁に延長板２０を固定することによって、側面１６の高さが一般ダンプトラックの約1.5倍に嵩上げされている。
【００１７】
同様に、荷台１４の右側の側面２２は、一般ダンプトラックの側あおり２４と、側あおり２４の高さを延長する延長板２６とで形成されている。延長板２６は延長板２０と同様の部材で、側あおり２４の上端縁に延長板２６を固定することによって、側面２２の高さが一般ダンプトラックの約1.5倍に嵩上げされている。
【００１８】
荷台１４の後端部は、一般ダンプトラックの後あおりが取り外され、左右の側面１６，２２の後方上端部に、荷台１４の後端部を閉鎖するための閉鎖板２８が、回転軸２８ａを介して開閉可能に取り付けられている。閉鎖板２８は、新規に用意した略長方形の部材である。
【００１９】
運搬物であるコンクリートＣは、セメント、水、砂、砂利、混和剤等を所定の割合で混ぜ合わせたものであり、工事現場のエリア内に設置されたバッチャープラント３０で製造される。そして、ダンプトラック１０は、コンクリートＣをバッチャープラント３０から打設場所まで運搬するために使用される。
【００２０】
コンクリートＣは、図２（ａ）に示すように、バッチャープラント３０のホッパ状の搬出口３０ａから送り出され、ダンプトラック１０の荷台１４に積載される。このとき、閉鎖板２８は、コンクリートＣに押されて開かないように固定されている。
【００２１】
そして、打設現場に移送されると、ダンプトラック１０は、閉鎖板２８の固定が解除され、荷台１４を傾動させて荷降ろしする操作が行われる。すると、図２（ｂ）に示すように、コンクリートＣに押されて閉鎖板２８が開き、コンクリートＣが荷台１４の後端部から排出される。
【００２２】
以上説明したように、ダンプトラック１０は、荷台１４を囲む壁面の高さが一般ダンプトラックよりも高く、荷台１４の容積が非常に大きいので、一度に大量のコンクリートＣを運搬することができる。また、一般ダンプトラックを改造して安価に製作することができるので、専用ダンプトラックを新規に製作するよりも大幅にコストダウンできる。
【００２３】
次に、本考案のダンプトラックの第二の実施形態について、図３に基づいて説明する。ここで、上記実施形態と同様の構成は、同一の符号を付して説明を省略する。この実施形態のダンプトラック３２は、上記ダンプトラック１０の構成に、略長方形の板状の荷台覆い部材３４，３６を付設したものである。荷台覆い部材３４，３６は、荷台１４に積載されたコンクリートＣに雨水が掛からないように覆うための部材であり、例えば、所定の剛性を有した金属板や樹脂板を使用してもよいし、矩形の枠体の内側に樹脂シートを張架した構造物を使用してもよい。
【００２４】
荷台覆い部材３４は、左側の側面１６の上端部に、回転軸３４ａを介して回動可能に取り付けされている。荷台覆い部材３４の軸着端から先端までの長さは、荷台１４の幅寸法の１／２より少し長い。荷台覆い部材３６は、荷台覆い部材３４と同様の部材で、右側の側面２２の上端部に、回転軸３６ａを介して回動可能に取り付けされている。
【００２５】
荷台覆い部材３４，３６を使用しないときは、図３（ａ）、（ｂ）に示すように、荷台覆い部材３４が側面１６の外側に吊り下げた状態にして固定され、荷台覆い部材３６を側面２２の外側に吊り下げた状態にして固定される。
【００２６】
例えば、雨が降っている中でコンクリートＣを運搬するときは、図３（ｃ）に示すように、荷台覆い部材３４を起こして荷台１４の内側に倒し、荷台覆い部材３６を起こして荷台１４の内側に倒す操作が行われる。その結果、荷台覆い部材３４，３６の先端部同士が重なった状態でコンクリートＣの上面に係止され、コンクリートＣ全体が荷台覆い部材３４，３６によって覆われる。
【００２７】
ダンプトラック３２によれば、上記ダンプトラック１０と同様の効果を得ることができる。さらに、荷台１４の側面１６，２２が従来よりも嵩上げされていることを利用して、通常より長い荷台覆い部材３４，３６が設けてあるので、コンクリートＣ全体を容易に覆うことができ、雨水がコンクリートＣに掛かるのを容易に防止することができる。また、雨が降っていない場合でも、走行中にコンクリートＣが荷台１４の外にこぼれたり飛び散ったりするのを確実に防止することができる。
【００２８】
なお、本考案のダンプトラックは、上記実施形態に限定されるものではない。例えば、荷台の内側の角部にコンクリート付着防止用の金属板等を当てたり、荷台の内面を摩耗しにくくするため金属ライナーを貼り付けたりすることができる。これにより、荷台の耐久性を向上させ、コンクリートの落下をスムーズにし作業性を高めることが出来る。
【００２９】
この他、上記実施形態は、側面の高さを高くするための延長板は、側面の高さを一般ダンプトラックの1.5倍以上にするものでも良く、適宜積載物や強度を考慮して設定可能である。さらに、側あおりの上端縁に延長板の下端縁を固定する構造であるが、延長板の下端部を側あおりの内面又は外面に重ねて固定する構造にしてもよい。
【００３０】
また、一般ダンプトラックを本考案のダンプトラックに改造する場合、上記以外の改造を加えてもよい。例えば、荷台の積載荷重が増加するので、各部フレーム等を適宜補強したり、車両本体の荷台リフト用のアクチュエータをパワーアップしたり、アクチュエータに過荷重が加わったときの保護装置を付設する（例えば、油圧回路にリリーフバルブを取り付ける）等の改造を行ってもよい。
【符号の説明】
【００３１】
１０，３２  ダンプトラック
１２  車両本体
１４  荷台
１６，２２  側面
１８，２４側あおり
２０，２６  延長板
２８  閉鎖板
３４，３６  荷台覆い部材
Ｃ  コンクリート
【図１】
0003212040.tif 000003
【図２】
0003212040.tif 000004
【図３】
0003212040.tif 000005